(57)【要約】【課題】  動作指示などの許容範囲に開閉指示送信機毎の自由度を持たせることができる開閉指示送信機、開閉指示受信機及び開閉指示システムを提供する。【解決手段】  開閉指示受信機に、各開閉指示送信機からの送信信号を有効とする条件や動作態様を記憶しておき、条件に合致しない場合に送信信号の受信を無視したり、規定されている動作態様での動作を実行させる。又は、各開閉指示送信機に、送信信号を有効に送出する条件を記憶させておき、動作指示キーが操作されたときに、条件に合致していることを確認して送信信号を送出する。【選択図】      図１
2005076210.tif 000002
【特許請求の範囲】
【請求項１】
対向する開閉体指示送信機からの送信信号に応じ、開閉体の動作を駆動する開閉体駆動装置に開閉動作指示信号を与える開閉指示受信機において、
自己に有効な送信信号を送出し得る各開閉体指示送信機に関し、その開閉体指示送信機に固有な動作関連情報を記憶している送信機固有情報記憶手段と、
自己に有効な送信信号を送出し得る開閉体指示送信機からの送信信号の受信時に、上記送信機固有情報記憶手段に記憶されているその開閉体指示送信機に関する動作関連情報に基づき、受信した送信信号を処理する送信機別処理手段と
を有することを特徴とする開閉指示受信機。
【請求項２】
上記送信機固有情報記憶手段は、自己に有効な送信信号を送出し得る各開閉体指示送信機に関し、その開閉体指示送信機からの送信信号を有効と扱う条件の情報を記憶しており、
上記送信機別処理手段は、自己に有効な送信信号を送出し得る開閉体指示送信機からの送信信号の受信時に、その開閉体指示送信機からの送信信号を有効と扱う条件に、受信した送信信号が合致しているか否かを判定し、合致時に、開閉体駆動装置に開閉動作指示信号を与える
ことを特徴とする請求項１に記載の開閉指示受信機。
【請求項３】
上記送信信号を有効と扱う条件が、期間的な条件であることを特徴とする請求項２に記載の開閉指示受信機。
【請求項４】
上記送信信号を有効と扱う条件が、開閉体の動作種類の制限条件であることを特徴とする請求項２又は３に記載の開閉指示受信機。
【請求項５】
上記送信機固有情報記憶手段は、自己に有効な送信信号を送出し得る各開閉体指示送信機に関し、その開閉体指示送信機からの送信信号が指示する動作の実行態様の情報を記憶しており、
上記送信機別処理手段は、自己に有効な送信信号を送出し得る開閉体指示送信機からの送信信号の受信時に、その開閉体指示送信機からの送信信号が指示する動作を、上記送信機固有情報記憶手段が記憶している実行態様で実行させる動作指示信号を与える開閉体駆動装置に与える
ことを特徴とする請求項１〜４のいずれかに記載の開閉指示受信機。
【請求項６】
上記動作の実行態様が、開動作終了時での開放量であることを特徴とする請求項１〜５のいずれかに記載の開閉指示受信機。
【請求項７】
開閉体の動作を駆動する開閉体駆動装置に開閉動作指示信号を与える対向する開閉指示受信機に対し、開閉体動作を起動するための送信信号を送信する開閉指示送信機において、
自己が送信信号を送出し得る条件情報を記憶している送信条件記憶手段と、
送信条件に合致したときのみ、送信信号を送出する送信制限手段と
を有することを特徴とする開閉指示送信機。
【請求項８】
上記送信条件が、期間的な条件であることを特徴とする請求項７に記載の開閉指示受信機。
【請求項９】
上記送信条件が、送信信号で指示しようとする開閉体の動作種類の制限条件であることを特徴とする請求項７又は８に記載の開閉指示受信機。
【請求項１０】
開閉体指示送信機からの送信信号に応じ、開閉指示受信機が、開閉体の動作を駆動する開閉体駆動装置に開閉動作指示信号を与える開閉指示システムにおいて、
上記開閉指示受信機として、請求項１〜６のいずれかに記載のものを適用したことを特徴とする開閉指示システム。
【請求項１１】
開閉体指示送信機からの送信信号に応じ、開閉指示受信機が、開閉体の動作を駆動する開閉体駆動装置に開閉動作指示信号を与える開閉指示システムにおいて、
上記開閉指示送信機として、請求項７〜９のいずれかに記載のものを適用したことを特徴とする開閉指示システム。
【請求項１２】
開閉体指示送信機からの送信信号に応じ、開閉指示受信機が、開閉体の動作を駆動する開閉体駆動装置に開閉動作指示信号を与える開閉指示システムにおいて、
上記開閉体指示送信機は、
自己に固有な動作関連情報を記憶している送信機固有情報記憶手段と、
上記開閉指示受信機への送信信号に、自己に固有な動作関連情報を挿入して送信する送信手段とを有し、
上記開閉体指示受信機は、
対向するいずれかの上記開閉体指示送信機からの送信信号の受信時に、送信信号に挿入されているその開閉体指示送信機に関する動作関連情報に基づき、受信した送信信号を処理する送信機別処理手段を有する
ことを特徴とする開閉指示システム。
【発明の詳細な説明】
【技術分野】
【０００１】
本発明は、開閉指示送信機、開閉指示受信機及び開閉指示システムに関し、例えば、シャッター、ドア、窓、オーバーヘッドドア、門扉、ゲート（駐車場などのゲート）、ロールスクリーン（例えば遮光膜）、ブラインド、オーニング装置などの開閉装置を対象としたものである。
【背景技術】
【０００２】
例えば、シャッター用のリモコンシステムにおいては、リモコン受信機側に、開動作、停止動作及び閉動作を指示できるリモコン送信機のＩＤコードを登録しておき、リモコン受信機は、受信信号の中に含まれているＩＤコードが、登録されているＩＤコードか否かに基づいて、有効なリモコン送信機からの動作指示か否かを判別するようになされている。また、同一のＩＤコードを含む動作指示信号を送出し得るリモコン送信機を複数にできるように、リモコン送信機間でＩＤコードをコピーする技術も既に提案されている（特許文献１参照）。
【特許文献１】特開２００１−４５５７８号公報
【発明の開示】
【発明が解決しようとする課題】
【０００３】
従来のリモコンシステムは、ＩＤコードが登録されていれば、複数のリモコン送信機の中のどのリモコン送信機による動作指示であっても許容しているが、全てのリモコン送信機に対し、同じ種類の動作指示を許容するものであった。
【０００４】
しかしながら、シャッターの使用者や使用状況などはシャッター毎に異なり、動作指示を全面的に許容し、又は、動作指示を全面的に拒否するだけでなく、その中間的な制限態様が、使用者や使用状況などから好ましい場合もあるが、従来のリモコンシステムでは、このようなことに応じられない。
【０００５】
上述のような課題は、シャッターだけでなく、他の開閉体についても、同様に生じている。
【０００６】
そのため、動作指示などの許容範囲に開閉指示送信機毎の自由度を持たせることができる開閉指示送信機、開閉指示受信機及び開閉指示システムが望まれている。
【課題を解決するための手段】
【０００７】
かかる課題を解決するため、第１の本発明は、対向する開閉体指示送信機からの送信信号に応じ、開閉体の動作を駆動する開閉体駆動装置に開閉動作指示信号を与える開閉指示受信機において、自己に有効な送信信号を送出し得る各開閉体指示送信機に関し、その開閉体指示送信機に固有な動作関連情報を記憶している送信機固有情報記憶手段と、自己に有効な送信信号を送出し得る開閉体指示送信機からの送信信号の受信時に、上記送信機固有情報記憶手段に記憶されているその開閉体指示送信機に関する動作関連情報に基づき、受信した送信信号を処理する送信機別処理手段とを有することを特徴とする。
【０００８】
また、第２の本発明は、開閉体の動作を駆動する開閉体駆動装置に開閉動作指示信号を与える対向する開閉指示受信機に対し、開閉体動作を起動するための送信信号を送信する開閉指示送信機において、自己が送信信号を送出し得る条件情報を記憶している送信条件記憶手段と、送信条件に合致したときのみ、送信信号を送出する送信制限手段とを有することを特徴とする。
【０００９】
さらに、第３の本発明は、開閉体指示送信機からの送信信号に応じ、開閉指示受信機が、開閉体の動作を駆動する開閉体駆動装置に開閉動作指示信号を与える開閉指示システムにおいて、開閉指示受信機として、第１の本発明のものを適用したことを特徴とする。
【００１０】
さらにまた、第４の本発明は、開閉体指示送信機からの送信信号に応じ、開閉指示受信機が、開閉体の動作を駆動する開閉体駆動装置に開閉動作指示信号を与える開閉指示システムにおいて、開閉指示送信機として、第２の本発明のものを適用したことを特徴とする。
【００１１】
第５の本発明は、開閉体指示送信機からの送信信号に応じ、開閉指示受信機が、開閉体の動作を駆動する開閉体駆動装置に開閉動作指示信号を与える開閉指示システムにおいて、（１）上記開閉体指示送信機は、自己に固有な動作関連情報を記憶している送信機固有情報記憶手段と、上記開閉指示受信機への送信信号に、自己に固有な動作関連情報を挿入して送信する送信手段とを有し、（２）上記開閉体指示受信機は、対向するいずれかの上記開閉体指示送信機からの送信信号の受信時に、送信信号に挿入されているその開閉体指示送信機に関する動作関連情報に基づき、受信した送信信号を処理する送信機別処理手段を有することを特徴とする。
【発明の効果】
【００１２】
本発明の開閉指示送信機、開閉指示受信機及び開閉指示システムによれば、動作指示などの許容範囲に開閉指示送信機毎の自由度を持たせることができる。
【発明を実施するための最良の形態】
【００１３】
以下、本発明による開閉指示送信機、開閉指示受信機及び開閉指示システムの最良の形態を、第１〜第３の実施形態に基づいて説明する。
【００１４】
（Ａ）第１の実施形態
図１は、本発明による開閉指示送信機、開閉指示受信機及び開閉指示システムを、電動シャッターに適用した第１の実施形態の構成を示すブロック図である。
【００１５】
図１において、第１の実施形態の開閉指示システム１は、リモコン送信機（開閉指示送信機）１０、リモコン受信機（開閉指示受信機）２０、制御盤３０、モータ４０などを有する。なお、リモコン受信機２０及び制御盤３０は、融合されて構成されていても良い。
【００１６】
リモコン送信機１０は、操作部１１、送信制御部１２、送信部１３、送信アンテナ１４及び報知部１５を有する。
【００１７】
操作部１１は、図２に示すように、シャッターの「開動作」、「停止動作」及び「閉動作」をそれぞれ指示するため３個の指示キー１１ａ〜１１ｃを備え、利用者の操作に応じた信号を送信制御部１２に与えるものである。
【００１８】
送信制御部１２は、当該リモコン送信機１０の全体を制御するものであり、例えば、マイクロコンピュータで構成されている。
【００１９】
送信制御部１２は、操作部１１から、開動作、閉動作又は停止動作の指示信号を受け、原送信信号（例えばシリアル送信データ：図３参照）を組み立てて送信部１３に与えるものである。また、送信制御部１２は、操作部１１から、開動作、閉動作又は停止動作の指示信号を受けたときには、指示を受け付けたことを報知部１５によって報知動作させる。
【００２０】
図３は、リモコン送信機１０からリモコン受信機２０へ送信される原送信信号のデータフォーマットを示す説明図である。
【００２１】
原送信信号は、原送信信号の先頭を示すフラグシーケンスと、送信元であるリモコン送信機１０の識別コード（ＩＤコード）と、送信したい情報（例えば、開動作指示、閉動作指示、停止動作指示などを含む制御コードと、誤り検出用のチェックサムとでなる。
【００２２】
リモコン送信機１０の送信制御部１２は、図３に示した原送信信号（以下、適宜フレームと呼ぶ）を所定回だけ繰り返し送信部１３に与える。リモコン送信機１０の送信制御部１２には、当該リモコン送信機１０のＩＤコードが予め組み込まれている。
【００２３】
送信部１３は、送信制御部１２から与えられたフレームを変調して無線周波数帯（例えば４２６ＭＨｚ程度）の信号（無線送信信号）にして、送信アンテナ１４から空間に放射させる。送信部１３には、必要に応じて、バンドパスフィルタや電力増幅器が内蔵されている。なお、原送信信号の変調方式は任意であるが、例えば、ＡＳＫ変調方式やＦＳＫ変調方式を適用し得る。
【００２４】
送信アンテナ１４は、上述のように、無線送信信号を空間に放射させるものである。送信アンテナ１４は、例えば、リモコン送信機１０を構成する筐体内部に設けられている。
【００２５】
報知部１５は、送信制御部１２の制御下で、操作部１１からの開動作、閉動作、停止動作の指示信号を受け付けたことを、利用者に認識させる報知動作を行うものである。報知部１５は、例えば、図２に示すように、上述した各キー１１ａ〜１１ｃに共通の１個の発光素子であって点灯や点滅で視覚的に報知させるものである。なお、液晶ディスプレイなどのキャラクタなどによる視覚的報知を行うものであっても良く、また、ブザーやスピーカなどの聴覚的に報知を行うものであっても良い。その他、振動などの人間の他の感覚に訴えるものであっても良い。
【００２６】
リモコン受信機２０は、受信アンテナ２１、受信部２２、受信制御部２３、ＩＤメモリ２４、登録操作部２５、表示部２６及び受信電界強度検出部２７などを備えている。
【００２７】
なお、リモコン受信機２０は、制御盤３０に接続されており、制御盤３０やモータ４０などと共に、例えばシャッターケース内に設けられている。
【００２８】
受信アンテナ２１は、リモコン送信機１０からの放射電波を捕捉し、電気信号（無線受信信号）に変換するものである。この受信アンテナ２１は、リモコン送信機１０が種々の位置をとり得るので、受信感度を考慮し、例えば、外部に突出する形式で設けられていることが好ましい。また、受信アンテナ２１として、リモコン送信機１０が種々の位置をとり得るので、例えば、無指向性又は指向範囲がかなり広いものを適用する。
【００２９】
受信部２２は、受信アンテナ２１から与えられた無線受信信号に対して復調処理し、リモコン送信機１０が送信しようとしたフレーム（復調信号）を得るものであり、このようにして得られた復調信号を受信制御部２３に与える。受信部２２には、必要に応じて、無線周波数帯を通過帯域とするバンドパスフィルタや前置増幅器や復調信号の帯域を通過帯域とするローパスフィルタが含まれる。
【００３０】
受信制御部２３は、当該リモコン受信機２０の各部の制御を行うものであり、例えば、現時刻の計時タイマ２３ａを有するマイクロコンピュータで構成されている。
【００３１】
受信制御部２３は、登録操作部２５によって、当該リモコン受信機２０に対し、指示し得るリモコン送信機１０の登録を指示されたときには、後述するような登録制御を行う。
【００３２】
また、受信制御部２３は、受信部２２からの復調信号（フレーム）を解読して、復調信号に含まれているＩＤコードがＩＤメモリ２４に登録されているか否かや、他の動作許容条件（後述する）を満たしているか否かを確認し、動作指示を受け付けられるときに、その指示動作を制御盤３０に通知する。
【００３３】
なお、上述したように、リモコン送信機１０は、フレームを繰り返し送信するので、受信制御部２３は、リモコン送信機１０が送信した同一内容の復調信号（フレーム）が所定時間以内に、所定個（最低繰り返し送信回数より少なくても良い）得られたときに、その復調信号を有効として上述の制御を行う。
【００３４】
また、受信制御部２３は、送信元のリモコン送信機１０が当該シャッターに対する指示を出せない場合や、リモコン送信機１０からの指示を受け付けられない場合などには（例えば、指示を許容できる時間帯以外の時間での指示）、その指示内容を無視する。
【００３５】
ＩＤメモり２４は、図４に示すように、当該リモコン受信機２０に有効な指示を出し得るリモコン送信機１０（第１の実施形態では複数を意図している）のＩＤコードと、そのリモコン送信機１０からの指示を受け付ける条件とを記憶しているものであり、例えば、ＥＥＰＲＯＭなどの不揮発性メモリでなる。
【００３６】
リモコン送信機１０からの指示を受け付ける条件としては、図４に示すように、受け付ける曜日や時間帯などの日時条件、開動作及び閉動作の組で１回とカウントした際の１日当たりの許容回数条件（この欄にはその時点までの当日での回数情報も記憶される）、開動作だけなどの動作限定条件、開放時の上限位置などの開放量条件、交信を有効とする交信距離条件などが設けられている。
【００３７】
登録操作部２５は、有効な指示を出し得るリモコン送信機１０をＩＤメモり２４に登録させるための操作を実行させるものであり、図示は省略するが、例えば、「登録」キーやテンキーなどを有している。
【００３８】
表示部２６は、リモコン送信機１０を登録させる際のガイダンスメッセージや、操作入力された内容などを表示するものであり、図示は省略するが、例えば、英数字などを数桁表示できるものでなる。など、大型のディスプレイであっても良い。また、表示部２６に代え、聴覚的にガイダンスメッセージや操作入力された内容などを出力するものであっても良い。
【００３９】
登録操作部２５及び表示部２６は、当該リモコン受信機２０に固定的に設けられているものに限定されず、ケーブルなどを介して、登録時にのみ、当該リモコン受信機２０に接続できる形態のものであっても良い。
【００４０】
受信電界強度検出部２７は、受信部２２と協働し、リモコン送信機１０及びリモコン受信機２０間の交信距離に対応した受信電界強度を検出するものであり、検出した受信電界強度を受信制御部２３に与えるものである。
【００４１】
制御盤３０は、内部構成の図示は省略するが、モータ４０を直接制御して、開動作、閉動作、停止動作を実行させるものである。モータ４０は、図示しないシャッターを開動作、閉動作、停止動作させるものである。
【００４２】
なお、図示は省略するが、モータ４０の回転軸などに設けられているパルスエンコーダなどの、シャッター位置の検出構成からの出力信号が、リモコン受信機２０内の受信制御部２３に与えられるようになされている。
【００４３】
次に、以上の構成を有する第１の実施形態の開閉指示システム１のリモコン受信機２０へのリモコン送信機１０のＩＤコードなどの登録動作を、図５のフローチャートを参照しながら説明する。
【００４４】
利用者が登録操作部２５における「登録」キーを操作すると、リモコン受信機２０（の受信制御部２３）は、図５に示す処理を開始する。そしてまず、表示部２６に登録しようとするリモコン送信機１０の停止動作キー１１ｂ（他のキーであっても良い）を操作することを求めるメッセージを表示する（Ｓ１）。これにより、利用者は、リモコン送信機１０の停止動作キー１１ｂを操作することになる。
【００４５】
受信制御部２３は、受信部２２からフレームデータが与えられると、それに含まれているＩＤコードを抽出した後（Ｓ２）、ＩＤメモリ２４に、その抽出したＩＤコードの欄が既に設けられているか否か（新規登録か修正登録か）を判別し（Ｓ３）、欄が設けられていないＩＤコードであれば、ＩＤメモリ２４にその抽出したＩＤコードの欄を設ける（Ｓ４）。
【００４６】
その後、受信制御部２３は、動作指示を受け付ける曜日や時間帯などの日時条件を入力することを求めるメッセージ及び現在の日時条件の設定内容（又はデフォルト内容）を表示部２６に表示する（Ｓ５）。メッセージ及び現在の日時条件の設定内容は、表示部２６の表示領域の大きさによっては、所定時間（例えば２秒）ずつ交互に表示するようにしても良い。利用者は、登録操作部２５を操作して日時条件を入力し、受信制御部２３は入力された日時条件をＩＤメモリ２４に格納する（Ｓ６）。
【００４７】
例えば、日時条件は、曜日を入力した後、時間帯を入力することで行う。曜日に関し、「＊」キーは曜日を問わないことを意味し、「＝」キーは今までと同じであることを意味し、「１」〜「７」はそれぞれ「月曜」〜「日曜」を意味し、「＃」キーが曜日の入力終了を意味する。時間帯に関し、「＊」キーは時間帯を問わないことを意味し、「＝」キーは今までと同じであることを意味し、「＃」キーが時間帯の入力終了を意味する。また、時間帯は、「００」〜「２４」の二桁数字を利用し、開示時刻と終了時刻とを規定することで入力する。例えば、「００〜０６，２０〜２４」は、午前０時から午前６時と、午後６時から午後２４時の間が指定されたことを意味する。
【００４８】
次に、受信制御部２３は、１日当たりの許容回数条件を入力することを求めるメッセージ及び現在の許容回数条件の設定内容（又はデフォルト内容）を表示部２６に表示する（Ｓ７）。メッセージ及び現在の許容回数条件の設定内容は、表示部２６の表示領域の大きさによっては、所定時間（例えば２秒）ずつ交互に表示するようにしても良い。利用者は、登録操作部２５を操作して許容回数条件を入力し、受信制御部２３は入力された許容回数条件をＩＤメモリ２４に格納する（Ｓ８）。
【００４９】
例えば、「＊」キーは回数を問わないことを意味し、「＝」キーは今までと同じであることを意味し、「＃」キーが許容回数条件の入力終了を意味する。許容回数は、例えば、「１」〜「１００」の間の数字で入力する。
【００５０】
次に、受信制御部２３は、動作限定条件を入力することを求めるメッセージ及び現在の動作限定条件の設定内容（又はデフォルト内容）を表示部２６に表示する（Ｓ９）。メッセージ及び現在の動作限定条件の設定内容は、表示部２６の表示領域の大きさによっては、所定時間（例えば２秒）ずつ交互に表示するようにしても良い。利用者は、登録操作部２５を操作して動作限定条件を入力し、受信制御部２３は入力された動作限定条件をＩＤメモリ２４に格納する（Ｓ１０）。
【００５１】
例えば、「＊」キーは動作を限定しないことを意味し、「＝」キーは今までと同じであることを意味し、「１」、「２」、「３」キーはそれぞれ開動作、停止動作、閉動作を意味し、「＃」キーが動作限定条件の入力終了を意味する。なお、停止動作は、条件設定の対象から除外し、どのリモコン送信機からの指示も常に受け付けられるようにしても良い。
【００５２】
次に、受信制御部２３は、開放量条件を入力することを求めるメッセージ及び現在の開放量条件の設定内容（又はデフォルト内容）を表示部２６に表示する（Ｓ１１）。メッセージ及び現在の開放量条件の設定内容は、表示部２６の表示領域の大きさによっては、所定時間（例えば２秒）ずつ交互に表示するようにしても良い。利用者は、登録操作部２５を操作して開放量条件を入力し、受信制御部２３は入力された開放量条件をＩＤメモリ２４に格納する（Ｓ１２）。
【００５３】
例えば、「＊」キーは開放量を限定しないこと（常に全開）を意味し、「＝」キーは今までと同じであることを意味し、「＃」キーが開放量条件の入力終了を意味する。開放量は、テンキーを用いて数字で指示し、「１」当たり１ｃｍを意味し、格納時には、例えば、シャッター位置を規定するセンサ出力の表記に置き直して格納する（例えば、パルスエンコーダを利用している場合にはパルス数に換算する）。
【００５４】
次に、受信制御部２３は、交信距離条件を入力することを求めるメッセージ及び現在の交信距離条件の設定内容（又はデフォルト内容）を表示部２６に表示する（Ｓ１３）。メッセージ及び現在の交信距離条件の設定内容は、表示部２６の表示領域の大きさによっては、所定時間（例えば２秒）ずつ交互に表示するようにしても良い。利用者は、登録操作部２５を操作して交信距離条件を入力し、受信制御部２３は入力された交信距離条件をＩＤメモリ２４に格納する（Ｓ１４）。
【００５５】
例えば、「＊」キーは交信距離を限定しないことを意味し、「＝」キーは今までと同じであることを意味し、「＃」キーが交信距離条件の入力終了を意味する。交信距離は、１ｍ単位で指定できるようにしても良いが（他の実施形態を構成している）、以下では、「近距離」、「中距離」、「長距離」（長距離であっても限定しない場合より短い）の３段階のいずれかを「１」、「２」、「３」キーで指定できるものとする。
【００５６】
次に、受信制御部２３は、条件設定をやり直すか、条件入力が完了したかの入力を求めるメッセージを表示部２６に表示し（Ｓ１５）、それに応じて、利用者が入力した内容を取り込んで判別する（Ｓ１６）。例えば、条件設定をやり直す場合には「＋」キーを入力し、条件入力が完了したことを通知する際には「登録」キーを入力する。
【００５７】
受信制御部２３は、条件設定をやり直すことが指示された場合には、上述したステップＳ５に戻り、条件入力が完了したことが入力されると、一連の処理を終了する。
【００５８】
なお、上記では、ある条件の設定内容が入力される毎にＩＤメモリ２４に格納していくものを示したが、受信制御部２３内のバッファメモリにバッファリングしておき、最後に、「登録」キーが操作されたときに、バッファメモリからＩＤメモリ２４に転送させて格納させるようにしても良い。
【００５９】
また、上記では、条件設定に先立ち、ＩＤコードを取り込む場合を示したが、条件設定を先に行い、後でＩＤコードを取り込むようにしても良い。
【００６０】
次に、通常のリモコン動作を説明する。なお、リモコン送信機１０側の動作は、操作キーが操作されたときに、ＩＤコードや、操作キーに対応した動作指示を含むフレームを形成して無線送信する従来と同様な動作であるので、以下では、リモコン受信機２０（特に受信制御部２３の動作）側の動作を図６のフローチャートを参照しながら説明する。
【００６１】
リモコン受信機２０の受信部２２は、所定レベル以上の無線受信信号が受信アンテナ２１から与えられたときにはその無線受信信号に対して復調処理し、復調信号（フレーム）を得て受信制御部２３に与える。
【００６２】
受信制御部２３は、このようなフレームの入力を待ち受けており（Ｓ２１）、フレームが入力されると、その信号に含まれているＩＤコードがＩＤメモリ２４に登録されているものと一致するか否か、言い換えると、送信元のリモコン送信機１０が当該シャッターに対する指示を出せるものであるか否かを判別する（Ｓ２２）。
【００６３】
入力されたフレームに含まれているＩＤコードがＩＤメモリ２４に登録されているものと一致しない場合には、受信制御部２３は、今回入力されたフレームを無視する。
【００６４】
これに対して、フレームに含まれているＩＤコードがＩＤメモリ２４に登録されていると、受信制御部２３は、現在日時が、そのＩＤコードに関係して設定されている日時条件を満たしているか否かを判別する（Ｓ２２）。日時条件を満たしていない場合には、受信制御部２３は、今回入力されたフレームを無視する。例えば、日時条件として、月曜〜金曜が設定されている場合において、土曜に受信したフレームは無視される。
【００６５】
日時条件を満たしていると、受信制御部２３は、今回の動作指示を含めた本日における動作回数が１日当たりの許容回数条件を満たしているか否かを判別する（Ｓ２３）。１日当たりの許容回数条件を満たしていない場合には、受信制御部２３は、今回入力されたフレームを無視する。例えば、１日当たり５回が許容回数と設定されている場合において、５回の開閉動作が実行された後に到来したフレームは無視される。
【００６６】
１日当たりの許容回数条件を満たしていると、受信制御部２３は、今回の動作指示が動作限定条件を満たしているか否かを判別する（Ｓ２４）。動作限定条件を満たしていない場合には、受信制御部２３は、今回入力されたフレームを無視する。例えば、動作限定条件として、開動作だけが許容されている場合において、閉動作の指示を含むフレームが到来した場合には、到来したフレームは無視される。
【００６７】
動作限定条件を満たしていると、受信制御部２３は、今回の交信距離（検出された受信電界強度に基づく）が交信距離条件を満たしているか否かを判別する（Ｓ２５）。交信距離条件を満たしていない場合には、受信制御部２３は、今回入力されたフレームを無視する。例えば、交信距離条件として近距離が設定されている場合において、中距離段階に属する位置にリモコン送信機１０が位置していた場合には、到来したフレームは無視される。
【００６８】
交信距離条件を満たしていると、受信制御部２３は、フレームに挿入されている停止動作、開動作又は閉動作を表す信号を制御盤３０に与える（Ｓ２６）。
【００６９】
また、受信制御部２３は、動作指示が開動作であるか否かを確認し（Ｓ２７）、開動作の場合には、全開以外の開放量条件が設定されているか否かを判別し（Ｓ２８）、全開以外の開放量条件が設定されている場合には、モータ４０側から到来するシャッター位置情報が開放量条件で規定されている位置になるのを待ち受け（Ｓ２９）、シャッター位置が開放量条件で規定されている位置になると、停止動作を表す信号を制御盤３０に与える（Ｓ３０）。
【００７０】
以上のようにして、リモコン受信機２０は、リモコン送信機１０（ＩＤコード）に設定されている条件を確認しながら、条件を満たす場合にのみ、指示された開閉動作を実行させる。
【００７１】
第１の実施形態によれば、リモコン送信機毎に、シャッターの動作指示や動作内容を受け付けられる条件を設定することができ、リモコン送信機によって、指示できる許容範囲を異なるようにさせることができる。
【００７２】
例えば、平日専用のリモコン送信機（平日のみ指示を出せる利用者）や、休日だけ指示を出せるリモコン送信機や、昼間だけ指示を出せるリモコン送信機、夜間だけ指示を出せるリモコン送信機や、開動作だけ指示を出せるリモコン送信機や、閉動作だけ指示を出せるリモコン送信機や、１日に１回だけ開閉動作を指示を出せるリモコン送信機など、動作指示が任意のリモコン送信機とすることができる。
【００７３】
ここで、指示できる内容はリモコン送信機によって異なっていても、リモコン受信機側の処理によって、指示内容の限定を行っているので、リモコン送信機としては従来と同じものを適用できる。
【００７４】
（Ｂ）第２の実施形態
図７は、本発明による開閉指示送信機、開閉指示受信機及び開閉指示システムを、電動シャッターに適用した第２の実施形態の構成を示すブロック図であり、第１の実施形態に係る同一、対応部分には、同一、対応符号を付して示している。
【００７５】
図７において、第２の実施形態の開閉指示システム１Ａは、リモコン送信機（開閉指示送信機）１０Ａ、リモコン受信機（開閉指示受信機）２０Ａ、制御盤３０、モータ４０及び条件入力器５０などを有する。制御盤３０及びモータ４０は、従来のものと同様である。
【００７６】
第２の実施形態のリモコン送信機１０Ａは、操作部１１、送信制御部１２、送信部１３、送信アンテナ１４及び報知部１５に加え、条件メモリ１６及び条件入力器インタフェース１７を有する。
【００７７】
条件メモリ１６は、当該リモコン送信機１０Ａが、開閉操作に応じてフレームを形成して送信させる許容条件を記憶しているものであり、例えば、ＥＥＰＲＯＭでなる。許容条件としては、例えば、図示は省略するが、指示を受け付ける曜日や時間帯などの日時条件、開動作及び閉動作の組で１回とカウントした際の１日当たりの許容回数条件（この欄にはその時点までの当日での回数情報も記憶される）、開動作だけなどの動作限定条件などが設けられている。
【００７８】
条件入力器インタフェース１７は、後述する条件入力器５０との接続ケーブルを収容し、送信制御部１２及び条件入力器５０とのデータ通信に供するものである。条件入力器インタフェース１７は、条件入力器５０との接続ケーブルが接続された場合には、その旨を送信制御部１２に通知するようになされている。
【００７９】
第２の実施形態の場合、送信制御部１２は、現在の日時を計時するタイマ１２ａを内蔵している。また、送信制御部１２は、条件入力器５０の接続状態においては、フレームの送信動作を実行せず、条件登録（更新を含む）処理のみを実行できるようになされている。ここで、条件登録処理は、送信制御部１２が条件入力器５０を制御しつつ実行する。さらに、送信制御部１２は、開動作キー１１ａ、停止動作キー１１ｂ又は閉動作キー１１ｃのいずれかが操作され、動作指示信号の送信が求められた場合、条件メモリ１６の設定条件に合致するか否かを確認し、合致する場合に、フレーム形成、送信を行うようになされている。
【００８０】
条件入力器５０は、登録操作部５１、表示部５２及びリモコン送信機インタフェース５３を有する。
【００８１】
登録操作部５１は、リモコン送信機１０Ａ内の送信制御部１２の制御下で、リモコン送信機１０Ａがフレームを形成、送信する条件を入力操作するためのものであり、図示は省略するが、例えば、テンキーなどを有している。
【００８２】
表示部５２は、リモコン送信機１０Ａ内の送信制御部１２の制御下で、リモコン送信機１０Ａがフレームを形成、送信する条件を入力操作させる際のガイダンスメッセージや、操作入力された内容などを表示するものであり、図示は省略するが、例えば、英数字などを数桁表示できるものでなる。など、大型のディスプレイであっても良い。また、表示部５２に代え、聴覚的にガイダンスメッセージや操作入力された内容などを出力するものであっても良い。
【００８３】
リモコン送信機インタフェース５３は、リモコン送信機１０Ａとのデータ授受を行うものであり、例えば、リモコン送信機１０Ａと着脱し得るケーブルを固定的に有している。
【００８４】
なお、条件入力器５０の構成を、リモコン送信機１０Ａが内蔵するようにしても良い。また、条件入力器５０にも制御部を設け、この制御部の制御下で条件と取り込み、リモコン送信機１０Ａに転送させて条件メモリ１６に記憶させるようにしても良い。
【００８５】
第２の実施形態の場合、リモコン受信機２０Ａは、受信アンテナ２１、受信部２２、受信制御部２３、ＩＤメモリ２４、登録スイッチ２５Ａ及び登録表示部２６Ａなどを備えており、従来のリモコン受信機と同様なものである。
【００８６】
受信アンテナ２１及び受信部２２は、第１の実施形態のものと同様である。ＩＤメモリ２４には、当該リモコン受信機２０Ａに動作指示を出せるリモコン送信機１０ＡのＩＤコードのみが記憶されている。受信制御部２３は、フレームの受信時に、それに含まれているＩＤコードがＩＤメモリ２４に記憶されていれば、動作指示信号を制御盤３０に与えるものである。また、受信制御部２３は、登録スイッチ２５Ａが押下された場合には、その後、到来したフレームに含まれているＩＤコードをＩＤメモリ２４に書き込み、記憶したときには、登録表示部２６Ａから報知させるものである。登録スイッチ２５Ａは、ＩＤコードの登録処理を起動するものであり、登録表示部２６Ａは登録完了を報知するものである。
【００８７】
次に、以上の構成を有する第２の実施形態の開閉指示システム１Ａのリモコン送信機１０Ａへ、フレームの形成、送信条件を登録させる際の動作を、図８のフローチャートを参照しながら説明する。
【００８８】
利用者が条件入力器５０のケーブルをリモコン送信機１０Ａに接続すると、条件入力器インタフェース１７から送信制御部１２にそのことが通知され、このとき、送信制御部１２は、図８に示す処理を開始する。
【００８９】
そしてまず、送信制御部１２は、動作指示を受け付ける曜日や時間帯などの日時条件を入力することを求めるメッセージ及び現在の日時条件の設定内容（又はデフォルト内容）を表示部５２に表示する（Ｓ４１）。メッセージ及び現在の日時条件の設定内容は、表示部５２の表示領域の大きさによっては、所定時間（例えば２秒）ずつ交互に表示するようにしても良い。利用者は、登録操作部５１を操作して日時条件を入力し、送信制御部１２は入力された日時条件を条件メモリ１６に格納する（Ｓ４２）。
【００９０】
次に、送信制御部１２は、１日当たりの許容回数条件を入力することを求めるメッセージ及び現在の許容回数条件の設定内容（又はデフォルト内容）を表示部５２に表示する（Ｓ４３）。メッセージ及び現在の許容回数条件の設定内容は、表示部５２の表示領域の大きさによっては、所定時間（例えば２秒）ずつ交互に表示するようにしても良い。利用者は、登録操作部５１を操作して許容回数条件を入力し、送信制御部１２は入力された許容回数条件を条件メモリ１６に格納する（Ｓ４４）。
【００９１】
次に、送信制御部１２は、動作限定条件を入力することを求めるメッセージ及び現在の動作限定条件の設定内容（又はデフォルト内容）を表示部５２に表示する（Ｓ４５）。メッセージ及び現在の動作限定条件の設定内容は、表示部５２の表示領域の大きさによっては、所定時間（例えば２秒）ずつ交互に表示するようにしても良い。利用者は、登録操作部５１を操作して動作限定条件を入力し、送信制御部１２は入力された動作限定条件を条件メモリ１６に格納する（Ｓ４６）。
【００９２】
次に、送信制御部１２は、条件設定をやり直すか、条件入力が完了したかの入力を求めるメッセージを表示部５２に表示し（Ｓ４７）、それに応じて、利用者が入力した内容を取り込んで判別する（Ｓ４８）。送信制御部１２は、条件設定をやり直すことが指示された場合には、上述したステップＳ４１に戻り、条件入力が完了したことが入力されると、一連の処理を終了する。
【００９３】
次に、リモコン送信機１０Ａの開動作キー１１ａ、停止動作キー１１ｂ又は閉動作キー１１ｃのいずれかが操作され、リモコン受信機２０Ａへのフレーム送信が求められた際の動作を、図９のフローチャートを参照しながら詳述する。
【００９４】
リモコン送信機１０Ａの送信制御部１２は、操作部１１が操作されるのを待ち受けており（Ｓ５１）、いずれかのキーが操作されると、現在日時が、条件メモリ１６に格納されているを満たしているか否かを判別する（Ｓ５２）。日時条件を満たしていない場合には、送信制御部１２は、今回の操作を無視する。
【００９５】
日時条件を満たしていると、送信制御部１２は、今回の操作指示を含めた本日における動作回数（指示回数）が１日当たりの許容回数条件を満たしているか否かを判別する（Ｓ５３）。１日当たりの許容回数条件を満たしていない場合には、送信制御部１２は、今回の操作を無視する。
【００９６】
１日当たりの許容回数条件を満たしていると、送信制御部１２は、今回の操作指示が動作限定条件を満たしているか否かを判別する（Ｓ５４）。動作限定条件を満たしていない場合には、送信制御部１２は、今回の操作を無視する。
【００９７】
動作限定条件を満たしていると、送信制御部１２は、操作キーの種類に応じたフレームを形成し（Ｓ５５）、そのフレームを送信部１３に与えて送信させる（Ｓ５６）。なお、送信制御部１２は、キー操作がなされている期間は報知部１５によって操作を認識していることを表す報知を実行させ、操作を無視することになった場合には、報知部１５によって所定時間だけその旨を報知させる。例えば、操作受付をＬＥＤの点灯で報知する場合であれば、無視する場合には、点滅で報知する。すなわち、キーを離したときに、点滅表示がなされれば、操作が無視されたこととなる。
【００９８】
なお、この第２の実施形態の場合、リモコン受信機２０Ａの動作は、従来と同様であるので、その説明は省略する。
【００９９】
第２の実施形態によっても、リモコン送信機毎に、シャッターの動作指示や動作内容を受け付けられる条件を設定することができ、リモコン送信機によって、指示できる許容範囲を異なるようにさせることができる。
【０１００】
ここで、リモコン受信機側の構成及び処理としては従来と同じものを適用することができ、既存のリモコン受信機を用いても、リモコン送信機毎の動作制限機能を実現することができる。
【０１０１】
（Ｃ）他の実施形態
上記第１及び第２の実施形態の説明においても、種々変形実施形態に言及したが、さらに、以下に例示するような変形実施形態を挙げることができる。
【０１０２】
（１）上記第１の実施形態では、リモコン受信機に登録する全てのリモコン送信機のＩＤコードに対応付けて条件情報を格納するものを示したが、少なくとも１個のリモコン送信機（例えば、１番目に登録されたリモコン送信機）に対しては、条件情報の設定を不可とし、条件判定を行うことなく、受信フレームを処理するようにしても良い。
【０１０３】
（２）上記第１の実施形態では、開放量条件を満足する開放量の制御を制御盤が行うようにしても良い。全開の他、一部開放に対応する制御盤があり、そのような制御盤では、一部開放では固定的な開放量であるが、リモコン受信機から開放量情報を与えて動作させることにより、開放量をＩＤコード（リモコン送信機）毎に制御し得る。
【０１０４】
（３）上記第１の実施形態では、リモコン送信機毎に（ＩＤコード毎に）、条件登録を行うものを示したが、複数のリモコン送信機のグループに、条件登録を行うようにしても良い。例えば、条件の情報を入力した後、それが適用されるリモコン送信機群の複数のＩＤコードを入力するようにするか、又は、リモコン送信機群の複数のＩＤコードを入力した後、条件の情報を入力するようにしても良い。
【０１０５】
（４）上記第１の実施形態のリモコン受信機の構成に追加して違反ジャーナルメモリを設け、ＩＤコード毎の条件違反の履歴情報を記憶するようにしても良い。さらに、違反時には直ちに、又は、違反率などの統計情報に基づき、外部の管理センタなどにそのことを通知する通信手段を、リモコン受信機に設けるようにしても良い。
【０１０６】
第２の実施形態に関し、リモコン送信機に違反ジャーナルメモリを設けるようにしても良い。
【０１０７】
（５）上記第１の実施形態では、条件違反時にその到来フレームを無視するものであったが、リモコン受信機に送信構成を、リモコン送信機に受信構成を設けることにより、条件違反を、リモコン受信機からリモコン送信機に通知し、リモコン送信機側でそのことを報知するようにしても良い。
【０１０８】
また、この通知時に、リモコン送信機が内蔵する違反ジャーナルメモリに情報を書き込むようにしても良い。
【０１０９】
（６）上記第１の実施形態では、条件違反時にその到来フレームを常に無視するものであったが、条件違反時でも、状況によっては、その到来フレームを有効として処理するようにしても良い。例えば、障害検知センサが検知出力を送出した時点から所定時間の間は、条件判定を実行しないようにしても良い。
【０１１０】
（７）上記第１及び第２の実施形態では、到来フレームを有効とする条件やフレーム形成、送信を有効とする条件（積極的表記条件）を記憶するものを示したが、到来フレームを無効とする条件やフレーム形成、送信を無効とする条件（消極的表記条件）を記憶するようにしても良い。消極的表記とは、例えば、リモコン送信機を有効に機能させる曜日が、月曜から金曜であれば、土曜及び日曜をメモリに記憶させる。また、積極的表記の条件項目と、消極的表記の条件項目とを混在させるようにしても良い。
【０１１１】
（８）上記第１の実施形態のＩＤコードに代え、利用者がリモコン送信機に入力する暗証番号対応に条件の情報を記憶するようにしても良い。
【０１１２】
（９）上記第２の実施形態では、リモコン送信機が、条件に合致しない場合に、フレームの形成、送信を実行しないものを示したが、リモコン送信機は、条件判定を実行せず、常に、条件の情報を含むフレームを送信し、リモコン受信機で条件判定を行うようにしても良い。このようにすると、交信距離条件や開放量条件なども、リモコン送信機に登録することができる。
【０１１３】
また、リモコン送信機及びリモコン受信機の双方に条件登録を行うようにしても良い。この場合において、同じ条件設定であっても良く、異なる条件設定であっても良い。例えば、１日当たりの許容動作回数の条件はリモコン送信機に設定し、これ以外の条件は、リモコン受信機に設定するようにしても良い。
【０１１４】
（１０）リモコン送信機は開動作キー、停止動作キー、閉動作キーを備える３点式のものに限定されず、１個の操作キーだけを有し、操作毎に、開動作−停止動作−閉動作−停止動作の順に巡回指示する１点式などの他の形式のものであっても良い。
【０１１５】
さらには、操作キーを有するものだけに限定されず、フォークリフトなどの通過をセンサで検知したときに、シャッター動作の指示信号を送出するような遠隔制御の送信機であっても良い。また、ＩＣカードや、ＲＦタグや、近距離通信機能を有する携帯電話などであっても良い。
【０１１６】
ＩＣカードやＲＦタグや近距離通信機能を有する携帯電話の場合、これらからの送信信号自体が条件に従ったものとなっていても良い。
【０１１７】
また、ＩＣカードやＲＦタグや近距離通信機能を有する携帯電話の場合に限定されず、リモコン送信機側から、ＩＤコードだけを送信し、そのＩＤコードに対応付けられて記憶されている動作（この動作も制約された動作であるので条件に合致した動作の概念に含まれる）を実行するようにしても良い。
【０１１８】
（１１）上記各実施形態では、条件に合致しない場合には、到来フレームを無効、又は、フレーム形成、送信を無効とするものを示したが、条件に合致しない場合でも、何らかの動作などを実行させるようにしても良い。
【０１１９】
例えば、開動作が条件により認められない場合に、自動的に停止動作の指示と置き換えて処理するようにしても良い。条件の一部情報として、条件に非合致時の処理を記述しておくようにしても良い。
【０１２０】
また、土曜日は近距離交信のみ有効とし、平日は遠距離交信も有効とするように、複数の条件項目の組み合わせ設定などを認めるようにしても良い。
【０１２１】
（１２）条件の種類は、上記実施形態のものに限定されないことは勿論である。例えば、リモコン受信機が、リモコン送信機Ａからは、所定時間（例えば２秒）内に２回開動作指示のフレームを受信したときに有効な開動作指示とし、リモコン送信機Ｂからは、所定時間（例えば２秒）内に３回開動作指示のフレームを受信したときに有効な開動作指示とするような条件を挙げることができる。
【０１２２】
（１３）上記第１の実施形態では、主として、リモコン送信機からの到来フレームを有効として扱う条件を記述したものであったが、各リモコン送信機毎に、動作態様を変えるような情報を記述し、各リモコン送信機毎に、動作態様を変えるようにしても良い。例えば、上述した開放量も動作態様に該当し、また、開動作時や閉動作時のシャッター速度なども動作態様に該当する。例えば、大人に携帯させたリモコン送信機からの開動作指示では高速なシャッター速度で開放し、子供に携帯させたリモコン送信機からの開動作指示では低速なシャッター速度で開放させる動作指示信号を制御盤に与えるようにしても良い。
【０１２３】
（１４）上記実施形態では、リモコン送信機及びリモコン受信機が無線回線を介して通信するものであったが、ケーブルを介して通信を行うものであっても良い。
【０１２４】
（１５）上記実施形態では、条件の設定登録を利用者が任意にできるものを示したが、工場側でのみ設定登録できるものであっても良い。
【０１２５】
（１６）開閉装置における「開閉」は、開のみ、閉のみ、開及び閉の双方である態様を含んでいる。また、開閉の動作方向は、例えば、上下方向、水平方向、傾斜方向等、任意である。リモコンによる動作については、開、閉、停止等の動作のうちいずれか、何らかの動作ができれば良く、また、開や閉のような開閉体が動作する場合には、開閉体の移動動作可能範囲の少なくとも一部で動作ができれば良い。
【産業上の利用可能性】
【０１２６】
本発明の開閉指示送信機、開閉指示受信機及び開閉指示システムは、例えば、シャッター、ドア、窓、オーバーヘッドドア、門扉、ゲート（駐車場などのゲート）、ロールスクリーン（例えば遮光膜）、ブラインド、オーニング装置などの開閉装置を対象としたものに適用可能である。
【図面の簡単な説明】
【０１２７】
【図１】第１の実施形態の開閉指示システムの構成を示すブロック図である。
【図２】第１の実施形態のリモコン送信機の操作パネル面を示す説明図である。
【図３】第１の実施形態の原送信信号（フレーム）のフォーマットを示す説明図である。
【図４】第１の実施形態のＩＤメモリの構成を示す説明図である。
【図５】第１の実施形態のリモコン受信機へのリモコン送信機のＩＤコードの登録動作を示すフローチャートである。
【図６】第１の実施形態のリモコン受信機の受信時動作を示すフローチャートである。
【図７】第２の実施形態の開閉指示システムの構成を示すブロック図である。
【図８】第２の実施形態のリモコン送信機への条件登録動作を示すフローチャートである。
【図９】第２の実施形態のリモコン送信機のキー操作時の動作を示すフローチャートである。
【符号の説明】
【０１２８】
１、１Ａ…開閉指示システム、１０、１０Ａ…リモコン送信機（開閉指示送信機）、１１…操作部、１２…送信制御部、１６…条件メモリ、１７…条件入力器インタフェース、２０、２０Ａ…リモコン受信機（開閉指示受信機）、２３…受信制御部、２４…ＩＤメモリ、２５…登録操作部、２５Ａ…登録スイッチ、２６表示部、２６Ａ…登録表示部、２７…受信電界強度検出部、３０…制御盤、４０…モータ、５０…条件入力器、５１…登録操作部、５２…表示部、５３…リモコン送信機インタフェース。
【図１】
2005076210.tif 000003
【図２】
2005076210.tif 000004
【図３】
2005076210.tif 000005
【図４】
2005076210.tif 000006
【図５】
2005076210.tif 000007
【図６】
2005076210.tif 000008
【図７】
2005076210.tif 000009
【図８】
2005076210.tif 000010
【図９】
2005076210.tif 000011